(57)【要約】【課題】マイクで集音される音の品質を簡易な構成で確保することができるマイク・スピーカ一体装置を提供する。【解決手段】二つのマイク１１、１３と、二つのマイク１１、１３の間に配置されるスピーカ１２と、二つのマイク１１、１３からそれぞれ集められた音を合成する制御部１４と、を備え、二つのマイク１１、１３は、制御部１４により合成された音に基づいて音声認識する際に、音声を認識するために必要となる周波数を集音可能な範囲であって、スピーカ１２の振動によるノイズ量が許容可能な範囲に納まるように、マイク１１、１３間の距離が設定される。【選択図】図１
2019165417.tif 000002
【特許請求の範囲】
【請求項１】
複数のマイクと、
複数のマイクの間に配置されるスピーカと、
複数のマイクからそれぞれ集められた音を合成する合成部と、を備え、
複数のマイクは、前記合成部により合成された音に基づいて音声認識する際に、音声を認識するために必要となる周波数を集音可能な範囲であって、前記スピーカの振動によるノイズ量が許容可能な範囲に納まるように、マイク間の距離が設定される、
マイク・スピーカ一体装置。
【請求項２】
複数のマイクは、マイク間の距離が長くなるに従って、認識可能な品質で集音できる最大周波数が低下し、かつ、スピーカの振動によるノイズ量が減る関係を有する、
請求項１記載のマイク・スピーカ一体装置。
【請求項３】
マイク間の距離を調節するための調節部を、さらに備える、
請求項１又は２記載のマイク・スピーカ一体装置。
【請求項４】
複数のマイクは、二つのマイクである、
請求項１から３のいずれか一項に記載のマイク・スピーカ一体装置。
【請求項５】
請求項１から４のいずれか一項に記載のマイク・スピーカ一体装置を、オーバヘッドコンソールの所定位置に取り付ける、
車両。
【発明の詳細な説明】
【技術分野】
【０００１】
本発明は、マイク・スピーカ一体装置及び車両に関する。
【背景技術】
【０００２】
従来、車両が衝突したとき等の緊急時に緊急通報センターに緊急通報を行う緊急通報システムを搭載した車両がある。下記特許文献１には、緊急通報時に、通話の妨げになる音声出力を確実に消音すると共に、手動緊急通報時には緊急通報終了後に車載スピーカの音声出力を再開させることを可能とする緊急通報システムが開示されている。
【先行技術文献】
【特許文献】
【０００３】
【特許文献１】特開２０１７−１７４１２０号公報
【発明の概要】
【発明が解決しようとする課題】
【０００４】
特許文献１の緊急通報システムでは、マイクとスピーカの位置が固定されている。しかしながら、マイクにより集音される音の品質を車両ごとに確保しようとすると、車両の種類やオーディオのグレードごとにチューニングが必要となり、評価工数や品番点数等が増加してしまい、車両のコストが嵩む要因となる。
【０００５】
そこで、本発明は、マイクで集音される音の品質を簡易な構成で確保することができるマイク・スピーカ一体装置及び車両を提供することを目的とする。
【課題を解決するための手段】
【０００６】
本発明の一態様に係るマイク・スピーカ一体装置は、複数のマイクと、複数のマイクの間に配置されるスピーカと、複数のマイクからそれぞれ集められた音を合成する合成部と、を備え、複数のマイクは、前記合成部により合成された音に基づいて音声認識する際に、音声を認識するために必要となる周波数を集音可能な範囲であって、前記スピーカの振動によるノイズ量が許容可能な範囲に納まるように、マイク間の距離が設定される。
【０００７】
上記態様において、複数のマイクは、マイク間の距離が長くなるに従って、認識可能な品質で集音できる最大周波数が低下し、かつ、スピーカの振動によるノイズ量が減る関係を有することとしてもよい。
【０００８】
上記態様において、マイク間の距離を調節するための調節部を、さらに備えることとしてもよい。
【０００９】
上記態様において、複数のマイクは、二つのマイクであることとしてもよい。
【００１０】
本発明の他の態様に係る車両は、上記マイク・スピーカ一体装置を、オーバヘッドコンソールの所定位置に取り付ける。
【発明の効果】
【００１１】
本発明によれば、マイクで集音される音の品質を簡易な構成で確保することができるマイク・スピーカ一体装置及び車両を提供することができる。
【図面の簡単な説明】
【００１２】
【図１】実施形態におけるマイク・スピーカ一体装置の構成を例示する図である。
【図２】マイク間の距離と集音可能な最大周波数又はスピーカの振動によるノイズ量との関係を表すグラフである。
【図３】変形例におけるマイク・スピーカ一体装置の構成を例示する図である。
【発明を実施するための形態】
【００１３】
添付図面を参照し、本発明の好適な実施形態について説明する。なお、各図において、同一の符号を付したものは同一又は同様の構成を有する。
【００１４】
図１を参照し、実施形態に係るマイク・スピーカ一体装置の構成について説明する。マイク・スピーカ一体装置１は、例えば、音声認識によるサービスを提供する際のユーザインターフェースや、緊急通報システムのユーザインターフェースとして利用することができる。ここで、音声認識には、機械による音声認識に加え、人（例えば、緊急通報センタのオペレータ）による音声認識も含まれる。
【００１５】
マイク・スピーカ一体装置１は、例えば、車両（自動車）に装備されるオーバヘッドコンソールの所定位置に取り付けて使用する。オーバヘッドコンソールは、車両の天井中央部に配置される前席用のコンソールであり、例えば、マップランプ、時計、小物入れ等が設けられる。マイク・スピーカ一体装置１をオーバヘッドコンソールに取り付けることで、エコーパスを固定化することができ、音質パラメータを共通化することが可能となる。
【００１６】
図１に示すように、マイク・スピーカ一体装置１は、例えば、二つのマイク１１、１３と、その二つのマイク間に配置されるスピーカ１２と、ＣＰＵ等の演算装置である制御部１４と、メモリ等の記憶装置である記憶部１５と、他の装置等との通信を制御する通信インターフェースである通信部１６とを備える。制御部１４は、例えば、二つのマイク１１、１３からそれぞれ集められた音を合成（加減算）する合成部としての機能や、合成された音（信号）に基づいて音声認識する音声認識部としての機能を有する。
【００１７】
マイク・スピーカ一体装置１は、例えば、以下の特性を有する。マイク１１とマイク１３との間の距離が長くなると、マイク１１、１３で集音する最大周波数が低下する。集音する最大周波数が低下すると、音声認識の性能が低下する要因となる。一方、マイク１１とマイク１３との間の距離が短くなると、マイク間に存在するスピーカ１２の振動によるノイズ（振動音）がマイク１１及びマイク１３に集音され、ノイズ量が増大する。ノイズ量が増大すると、エコーが発生する要因となる。
【００１８】
図２を参照し、マイク間の距離と、マイクで集音する最大周波数又はスピーカの振動によるノイズ量との関係について説明する。
【００１９】
同図２の横軸はマイク１１とマイク１３との間の距離[ｍｍ]を示し、左側の縦軸は二つのマイク１１、１３で集音する最大周波数[Ｈｚ]を示し、右側の縦軸は二つのマイク１１、１３で集音するスピーカ１２の振動によるノイズ量を示す。距離Ｄｓは、二つのマイク１１、１３間に配置されるスピーカ１２の直径を例示したものであり、距離Ｄｔは、二つのマイク１１、１３間の距離を例示したものである。
【００２０】
グラフＦは、二つのマイク１１、１３間の距離と二つのマイク１１、１３で集音する最大周波数との関係の理想値を表す。グラフＦに示すように、マイク１１及びマイク１３は、二つのマイク１１、１３間の距離が長くなるに従って、集音する最大周波数が低下する関係を有する。
【００２１】
グラフＮは、二つのマイク１１、１３間の距離と二つのマイク１１、１３で集音するスピーカ１２の振動によるノイズ量との関係の理想値を表す。グラフＮＬは、物理特性を加味した場合における二つのマイク１１、１３間の距離と二つのマイク１１、１３で集音するスピーカ１２の振動によるノイズ量との関係の下限限界値を表す。
【００２２】
グラフＮ、ＮＬに示すように、マイク１１及びマイク１３は、二つのマイク１１、１３間の距離が長くなるに従って、スピーカ１２の振動によるノイズ量が減る関係を有する。
【００２３】
ここで、音声認識の性能を高めるためには、マイクで集音する最大周波数として４，０００[Ｈｚ]以上を確保することが好ましい。したがって、図２では、グラフＦのうち、周波数が４，０００[Ｈｚ]以上となり、かつ、グラフＮとグラフＮＬとの間に挟まれる範囲を、二つのマイク１１、１３間の距離を設定する際の目標範囲Ｔとする。
【００２４】
二つのマイク１１、１３間の距離を目標範囲Ｔに納まるように設定することで、二つのマイク１１、１３で集められた音に基づいて音声認識する際に、音声を認識するために必要となる周波数を集音可能な範囲であり、かつスピーカの振動によるノイズ量が許容可能な範囲に納まるように、マイク間の距離を設定することが可能となる。
【００２５】
図２に示すグラフは、目標範囲ＴにあるグラフＦのうち、点Ｆｔに対応する距離Ｄｔが、二つのマイク１１、１３間の距離として選定されていることを例示する。
【００２６】
マイク・スピーカ一体装置１に含まれる二つのマイク１１、１３は、マイク１１、１３間の距離が距離Ｄｔとなるように配置される。
【００２７】
前述したように、実施形態におけるマイク・スピーカ一体装置１によれば、二つのマイク１１、１３は、二つのマイク１１、１３によりそれぞれ集められた音を合成した音に基づいて音声認識する際に、音声を認識するために必要となる周波数を集音可能な範囲であって、二つのマイク１１、１３間に配置されるスピーカ１２の振動によるノイズ量が許容可能な範囲に納まるように、マイク間の距離が設定される。
【００２８】
これにより、スピーカ１２を挟んで配置される二つのマイク１１、１３間の距離を設定することで、音声を認識するために必要となる周波数を含む音であり、かつノイズが少ない音を集音することができるため、マイクで集音される音の品質を、簡易な構成で確保することができ、音声認識の精度を向上させることもできる。
【００２９】
[変形例]
なお、本発明は、前述した実施形態に限定されるものではなく、本発明の要旨を逸脱しない範囲内において、他の様々な形で実施することができる。したがって、上記実施形態はあらゆる点で単なる例示にすぎず、限定的に解釈されるものではない。
【００３０】
例えば、前述した実施形態におけるマイク・スピーカ一体装置１の構成は、図１に示す構成には限定されない。例えば、図３に示すように、マイク・スピーカ一体装置１が調節部１７をさらに備えることとしてもよい。調節部１７は、マイク１１とマイク１３との間の距離を調節するための調節機構である。例えば、マイク１１、１３を、調節部１７に沿って図中の矢印方向に移動させることで、マイク１１とマイク１３との間の距離を調節することができる。これにより、マイク１１とマイク１３との間の距離を、調節機構を利用して機械的に調節することが可能となる。
【００３１】
また、前述した実施形態において、マイク・スピーカ一体装置１は、二つのマイク１１、１３を備えているが、三つ以上のマイクを備えることとしてもよい。三つ以上のマイクを備える場合、スピーカ１２は、各マイクの間に位置するように配置する。また、各マイク間の距離は、各マイクにより集められた音に基づいて音声認識する際に、音声を認識するために必要となる周波数を集音可能な範囲であって、スピーカ１２の振動によるノイズ量が許容可能な範囲に納まるように設定する。
【符号の説明】
【００３２】
１…マイク・スピーカ一体装置、１１…マイク、１２…スピーカ、１３…マイク、１４…制御部、１５…記憶部、１６…通信部、１７…調節部
【図１】
2019165417.tif 000003
【図２】
2019165417.tif 000004
【図３】
2019165417.tif 000005